【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
ネットワークを介して撮影者端末及び被写体端末とサーバーとが接続され、さらに当該サーバーには、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムであって、
前記被写体端末は、
入力された被写体本体及び撮影可能日時を表わす被写体データを、前記サーバーに送信する送信手段を有し、
前記撮影者端末は、
入力された撮影者、希望被写体及び撮影希望日時を表わす撮影者データを、前記サーバーに送信する送信手段と、
前記サーバーから送信された被写体及び開催日時を表わすデータを含む撮影会データを受信する受信手段と、
この受信手段により撮影会データが受信された後に、了解を表わすデータを送信する送信手段と、
を有し、
前記サーバーは、
前記被写体端末から送信された被写体データを受信して、当該受信された被写体データに含まれる被写体本体及び撮影可能日時を表わすデータを、前記被写体ＤＢに記億させる被写体登録手段と、
前記撮影者端末から送信された撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索手段と、
この撮影会検索手段により同一の被写体及び同一の開催日時の撮影会データが検索された場合に、撮影者データを送信してきた前記撮影者端末に、当該検索された撮影会データを送信する第１の送信手段と、
前記撮影会検索手段により同一の被写体及び同一の開催日時の撮影会データが検索されなかった場合に、前記被写体ＤＢから前記撮影希望被写体と同一の被写体本体を含む被写体データを検索する被写体検索手段と、
この被写体検索手段により検索された被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第２の送信手段と、
前記第１及び第２の送信手段のいずれかによって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新手段と、
を有する撮影支援システム。
【請求項２】
前記サーバーは、
前記被写体検索手段により同一の被写体データが検索されなかった場合に、当該同一の被写体データに類似する被写体データを前記被写体ＤＢから検索する類似被写体検索手段と、
この類似被写体検索手段により類似の被写体データが検索された場合に、当該検索された類似被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第３の送信手段をさらに備え、
前記更新手段は、第３の送信手段によって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する請求項１に記載の撮影支援システム。
【請求項３】
ネットワークを介して撮影者端末及び被写体端末が接続され、さらに、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムのサーバーであって、
前記サーバーは、
前記被写体端末から送信された被写体本体及び撮影可能日時を表わす被写体データを受信して、当該受信された被写体データに含まれる被写体本体及び撮影可能日時を表わすデータを、前記被写体ＤＢに記億させる被写体登録手段と、
前記撮影者端末から送信された撮影者、希望被写体及び撮影希望日時を表わす撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索手段と、
この撮影会検索手段により同一の被写体及び同一の開催日時の撮影会データが検索された場合に、撮影者データを送信してきた前記撮影者端末に、当該検索された撮影会データを送信する第１の送信手段と、
前記撮影会検索手段により同一の被写体及び同一の開催日時の撮影会データが検索されなかった場合に、前記被写体ＤＢから前記撮影希望被写体と同一の被写体本体を含む被写体データを検索する被写体検索手段と、
この被写体検索手段により検索された被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第２の送信手段と、
前記第第１及び第２の送信手段のいずれかによって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新手段と、
を有する撮影支援システムのサーバー。
【請求項４】
ネットワークを介して撮影者端末及び被写体端末が接続され、さらに、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムのサーバーとして用いられるコンピュータに、
前記被写体端末から送信された被写体本体及び撮影可能日時を表わす被写体データを受信して、当該受信された被写体データに含まれる被写体本体及び撮影可能日時を表わすデータを、前記被写体ＤＢに記億させる被写体登録ステップと、
前記撮影者端末から送信された撮影者、希望被写体及び撮影希望日時を表わす撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索ステップと、
この同一の被写体及び同一の開催日時の撮影会データが検索された場合に、撮影者データを送信してきた前記撮影者端末に、当該検索された撮影会データを送信する第１の送信ステップと、
前記同一の被写体及び同一の開催日時の撮影会データが検索されなかった場合に、前記被写体ＤＢから前記撮影希望被写体と同一の被写体本体を含む被写体データを検索する被写体検索ステップと、
この同一の被写体データが検索された場合に、当該検索された被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第２の送信ステップと、
撮影会データを送信した前記撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新ステップと、
を実行するプログラム。
【請求項５】
ネットワークを介して撮影者端末及び被写体端末とサーバーとが接続され、さらに当該サーバーには、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムであって、
前記被写体端末は、
入力された被写体本体及び撮影可能日時を表わす被写体データを、前記サーバーに送信する送信手段を有し、
前記撮影者端末は、
入力された撮影者、希望被写体及び撮影希望日時を表わす撮影者データを、前記サーバーに送信する送信手段と、
前記サーバーから送信された被写体及び開催日時を表わすデータを含む撮影会データを受信する受信手段と、
この受信手段により撮影会データが受信された後に、了解を表わすデータを送信する送信手段と、
を有し、
前記サーバーは、
前記被写体端末から送信された被写体データを受信して、当該受信された被写体データに含まれる被写体本体及び撮影可能日時を表わすデータを、前記被写体ＤＢに記億させる被写体登録手段と、
前記撮影者端末から送信された撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索手段と、
この撮影会検索手段により同一の被写体及び同一の開催日時の撮影会データが検索された場合に、撮影者データを送信してきた前記撮影者端末に、当該検索された撮影会データを送信する第１の送信手段と、
前記撮影会検索手段により同一の被写体及び同一の開催日時の撮影会データが検索されなかった場合に、前記被写体ＤＢから前記撮影希望被写体と同一の被写体データを含む被写体データを検索する被写体検索手段と、
前記被写体検索手段により同一の被写体データが検索されなかった場合に、当該同一の被写体データに類似する被写体データを前記被写体ＤＢから検索する類似被写体検索手段と、
この類似被写体検索手段により類似の被写体データが検索された場合に、当該検索された類似被写体データに含まれる被写体データ及び撮影可能日時を表わすデータに基づいて、被写体及び開催日時を表わすデータからなる撮影会データを作成するとともに、当該作成された撮影会データを前記撮影者端末に送信する第２の送信手段と、
前記第１及び第２の送信手段のいずれかによって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新手段と、
を有する撮影支援システム。
【請求項６】
前記サーバーは、
前記被写体検索手段により同一の被写体データが検索された場合に、この被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第３の送信手段をさらに備え、
前記更新手段は、第３の送信手段によって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する請求項５に記載の撮影支援システム。
【請求項７】
ネットワークを介して撮影者端末及び被写体端末が接続され、さらに、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムのサーバーであって、
前記サーバーは、
前記被写体端末から送信された被写体データ及び撮影可能日時を表わす被写体データを受信して、当該受信された被写体データに含まれる被写体データ及び撮影可能日時を表わすデータを、前記被写体ＤＢに記億させる被写体登録手段と、
前記撮影者端末から送信された撮影者、希望被写体及び撮影希望日時を表わす撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索手段と、
この撮影会検索手段により同一の被写体及び同一の開催日時の撮影会データが検索された場合に、撮影者データを送信してきた前記撮影者端末に、当該検索された撮影会データを送信する第１の送信手段と、
前記撮影会検索手段により同一の被写体及び同一の開催日時の撮影会データが検索されなかった場合に、前記被写体ＤＢから前記撮影希望被写体と同一の被写体データを含む被写体データを検索する被写体検索手段と、
前記被写体検索手段により同一の被写体データが検索されなかった場合に、当該同一の被写体データに類似する被写体データを前記被写体ＤＢから検索する類似被写体検索手段と、
この類似被写体検索手段により類似の被写体データが検索された場合に、当該検索された類似被写体データに含まれる被写体データ及び撮影可能日時を表わすデータに基づいて、被写体及び開催日時を表わすデータからなる撮影会データを作成するとともに、当該作成された撮影会データを前記撮影者端末に送信する第２の送信手段と、
前記第１及び第２の送信手段のいずれかによって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新手段と、
を有する撮影支援システムのサーバー。
【請求項８】
ネットワークを介して撮影者端末及び被写体端末が接続され、さらに、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムのサーバーとして用いられるコンピュータに、
前記被写体端末から送信された被写体本体及び撮影可能日時を表わす被写体データを受信して、当該受信された被写体データに含まれる被写体本体及び撮影可能日時を表わすデータを、前記被写体ＤＢに記億させる被写体登録ステップと、
前記撮影者端末から送信された撮影者、希望被写体及び撮影希望日時を表わす撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索ステップと、
この同一の被写体及び同一の開催日時の撮影会データが検索された場合に、撮影者データを送信してきた前記撮影者端末に、当該検索された撮影会データを送信する第１の送信ステップと、
前記被写体検索ステップにより同一の被写体データが検索されなかった場合に、当該同一の被写体データに類似する被写体データを前記被写体ＤＢから検索する類似被写体検索ステップと、
この類似被写体検索ステップにより類似の被写体データが検索された場合に、当該検索された類似被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第２の送信ステップと、
撮影会データを送信した前記撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新ステップと、
を実行させるプログラム。
【手続補正２】
【補正対象書類名】明細書
【補正対象項目名】０００５
【補正方法】変更
【補正の内容】
【０００５】
請求項１に記載の撮影支援システムは、ネットワークを介して撮影者端末及び被写体端末とサーバーとが接続され、さらに当該サーバーには、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムであって、
前記被写体端末は、
入力された被写体本体及び撮影可能日時を表わす被写体データを、前記サーバーに送信する送信手段を有し、
前記撮影者端末は、
入力された撮影者、希望被写体及び撮影希望日時を表わす撮影者データを、前記サーバーに送信する送信手段と、
前記サーバーから送信された被写体及び開催日時を表わすデータを含む撮影会データを受信する受信手段と、
この受信手段により撮影会データが受信された後に、了解を表わすデータを送信する送信手段と、
を有し、
前記サーバーは、
前記被写体端末から送信された被写体データを受信して、当該受信された被写体データに含まれる被写体本体及び撮影可能日時を表わすデータを、前記被写体ＤＢに記億させる被写体登録手段と、
前記撮影者端末から送信された撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索手段と、
この撮影会検索手段により同一の被写体及び同一の開催日時の撮影会データが検索された場合に、撮影者データを送信してきた前記撮影者端末に、当該検索された撮影会データを送信する第１の送信手段と、
前記撮影会検索手段により同一の被写体及び同一の開催日時の撮影会データが検索されなかった場合に、前記被写体ＤＢから前記撮影希望被写体と同一の被写体本体を含む被写体データを検索する被写体検索手段と、
この被写体検索手段により検索された被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第２の送信手段と、
前記第１及び第２の送信手段のいずれかによって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新手段と、
を有することを特徴とする。
【手続補正３】
【補正対象書類名】明細書
【補正対象項目名】０００６
【補正方法】変更
【補正の内容】
【０００６】
請求項２に記載の撮影支援システムにおいて、
前記サーバーは、
前記被写体検索手段により同一の被写体データが検索されなかった場合に、当該同一の被写体データに類似する被写体データを前記被写体ＤＢから検索する類似被写体検索手段と、
この類似被写体検索手段により類似の被写体データが検索された場合に、当該検索された類似被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第３の送信手段をさらに備え、
前記更新手段は、第３の送信手段によって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新することを特徴とする。
【手続補正４】
【補正対象書類名】明細書
【補正対象項目名】０００７
【補正方法】変更
【補正の内容】
【０００７】
請求項３に記載の撮影支援システムのサーバーは、ネットワークを介して撮影者端末及び被写体端末とが接続され、さらに、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムのサーバーであって、
前記サーバーは、
前記被写体端末から送信された被写体本体及び撮影可能日時を表わす被写体データを受信して、当該受信された被写体データに含まれる被写体本体及び撮影可能日時を表わすデータを、前記被写体ＤＢに記億させる被写体登録手段と、
前記撮影者端末から送信された撮影者、希望被写体及び撮影希望日時を表わす撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索手段と、
この撮影会検索手段により同一の被写体及び同一の開催日時の撮影会データが検索された場合に、撮影者データを送信してきた前記撮影者端末に、当該検索された撮影会データを送信する第１の送信手段と、
前記撮影会検索手段により同一の被写体及び同一の開催日時の撮影会データが検索されなかった場合に、前記被写体ＤＢから前記撮影希望被写体と同一の被写体本体を含む被写体データを検索する被写体検索手段と、
この被写体検索手段により検索された被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第２の送信手段と、
前記第第１及び第２の送信手段のいずれかによって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新手段と、
を有することを特徴とする。
【手続補正５】
【補正対象書類名】明細書
【補正対象項目名】０００８
【補正方法】変更
【補正の内容】
【０００８】
請求項４に記載の撮影支援システム処理のプログラムは、ネットワークを介して撮影者端末及び被写体端末が接続され、さらに、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムのサーバーとして用いられるコンピュータに、
前記被写体端末から送信された被写体本体及び撮影可能日時を表わす被写体データを受信して、当該受信された被写体データに含まれる被写体本体及び撮影可能日時を表わすデータを、前記被写体ＤＢに記億させる被写体登録ステップと、
前記撮影者端末から送信された撮影者、希望被写体及び撮影希望日時を表わす撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索ステップと、
この同一の被写体及び同一の開催日時の撮影会データが検索された場合に、撮影者データを送信してきた前記撮影者端末に、当該検索された撮影会データを送信する第１の送信ステップと、
前記同一の被写体及び同一の開催日時の撮影会データが検索されなかった場合に、前記被写体ＤＢから前記撮影希望被写体と同一の被写体本体を含む被写体データを検索する被写体検索ステップと、
この同一の被写体データが検索された場合に、当該検索された被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第２の送信ステップと、
撮影会データを送信した前記撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新ステップと、
を実行することを特徴とする。
【手続補正６】
【補正対象書類名】明細書
【補正対象項目名】０００９
【補正方法】変更
【補正の内容】
【０００９】
請求項５に記載の撮影支援システムは、ネットワークを介して撮影者端末及び被写体端末とサーバーとが接続され、さらに当該サーバーには、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムであって、
前記被写体端末は、
入力された被写体本体及び撮影可能日時を表わす被写体データを、前記サーバーに送信する送信手段を有し、
前記撮影者端末は、
入力された撮影者、希望被写体及び撮影希望日時を表わす撮影者データを、前記サーバーに送信する送信手段と、
前記サーバーから送信された被写体及び開催日時を表わすデータを含む撮影会データを受信する受信手段と、
この受信手段により撮影会データが受信された後に、了解を表わすデータを送信する送信手段と、
を有し、
前記サーバーは、
前記被写体端末から送信された被写体データを受信して、当該受信された被写体データに含まれる被写体本体及び撮影可能日時を表わすデータを、前記被写体ＤＢに記億させる被写体登録手段と、
前記撮影者端末から送信された撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索手段と、
この撮影会検索手段により同一の被写体及び同一の開催日時の撮影会データが検索された場合に、撮影者データを送信してきた前記撮影者端末に、当該検索された撮影会データを送信する第１の送信手段と、
前記撮影会検索手段により同一の被写体及び同一の開催日時の撮影会データが検索されなかった場合に、前記被写体ＤＢから前記撮影希望被写体と同一の被写体データを含む被写体データを検索する被写体検索手段と、
前記被写体検索手段により同一の被写体データが検索されなかった場合に、当該同一の被写体データに類似する被写体データを前記被写体ＤＢから検索する類似被写体検索手段と、
この類似被写体検索手段により類似の被写体データが検索された場合に、当該検索された類似被写体データに含まれる被写体データ及び撮影可能日時を表わすデータに基づいて、被写体及び開催日時を表わすデータからなる撮影会データを作成するとともに、当該作成された撮影会データを前記撮影者端末に送信する第２の送信手段と、
前記第１及び第２の送信手段のいずれかによって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新手段と、
を有することを特徴とする。
【手続補正７】
【補正対象書類名】明細書
【補正対象項目名】００１２
【補正方法】変更
【補正の内容】
【００１２】
請求項６に記載の撮影支援システムにおいて、前記サーバーは、
前記被写体検索手段により同一の被写体データが検索された場合に、この被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第３の送信手段をさらに備え、
前記更新手段は、第３の送信手段によって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新することを特徴とする。
【手続補正８】
【補正対象書類名】明細書
【補正対象項目名】００１３
【補正方法】変更
【補正の内容】
【００１３】
請求項７に記載の撮影支援システムのサーバーは、ネットワークを介して撮影者端末及び被写体端末が接続され、さらに、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムのサーバーであって、
前記サーバーは、
前記被写体端末から送信された被写体データ及び撮影可能日時を表わす被写体データを受信して、当該受信された被写体データに含まれる被写体データ及び撮影可能日時を表わすデータを、前記被写体ＤＢに記億させる被写体登録手段と、
前記撮影者端末から送信された撮影者、希望被写体及び撮影希望日時を表わす撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索手段と、
この撮影会検索手段により同一の被写体及び同一の開催日時の撮影会データが検索された場合に、撮影者データを送信してきた前記撮影者端末に、当該検索された撮影会データを送信する第１の送信手段と、
前記撮影会検索手段により同一の被写体及び同一の開催日時の撮影会データが検索されなかった場合に、前記被写体ＤＢから前記撮影希望被写体と同一の被写体データを含む被写体データを検索する被写体検索手段と、
前記被写体検索手段により同一の被写体データが検索されなかった場合に、当該同一の被写体データに類似する被写体データを前記被写体ＤＢから検索する類似被写体検索手段と、
この類似被写体検索手段により類似の被写体データが検索された場合に、当該検索された類似被写体データに含まれる被写体データ及び撮影可能日時を表わすデータに基づいて、被写体及び開催日時を表わすデータからなる撮影会データを作成するとともに、当該作成された撮影会データを前記撮影者端末に送信する第２の送信手段と、
前記第１及び第２の送信手段のいずれかによって撮影会データを送信した撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新手段と、
を有することを特徴とする。
【手続補正９】
【補正対象書類名】明細書
【補正対象項目名】００１４
【補正方法】変更
【補正の内容】
【００１４】
請求項８に記載の撮影支援システム処理のプログラムは、ネットワークを介して撮影者端末及び被写体端末が接続され、さらに、撮影希望被写体及び撮影希望日時が撮影者毎に記億される撮影者ＤＢと、撮影可能日時が被写体毎に記億される被写体ＤＢと、被写体及び開催日時が撮影会毎に記億される撮影会ＤＢと、が接続された撮影支援システムのサーバーとして用いられるコンピュータに、
前記被写体端末から送信された被写体本体及び撮影可能日時を表わす被写体データを受信して、当該受信された被写体データに含まれる被写体本体及び撮影可能日時を表わすデータを、前記被写体ＤＢに記億させる被写体登録ステップと、
前記撮影者端末から送信された撮影者、希望被写体及び撮影希望日時を表わす撮影者データを受信するとともに、当該受信された撮影者データ内の撮影希望被写体と同一の被写体でかつ、撮影希望日時と同一の開催日時の撮影会データを、前記撮影会ＤＢから検索する撮影会検索ステップと、
この同一の被写体及び同一の開催日時の撮影会データが検索された場合に、撮影者データを送信してきた前記撮影者端末に、当該検索された撮影会データを送信する第１の送信ステップと、
前記被写体検索ステップにより同一の被写体データが検索されなかった場合に、当該同一の被写体データに類似する被写体データを前記被写体ＤＢから検索する類似被写体検索ステップと、
この類似被写体検索ステップにより類似の被写体データが検索された場合に、当該検索された類似被写体データに含まれる被写体本体及び撮影可能日時を表わすデータに基づいて、被写体及び開催日時を表わすデータからなる撮影会データを作成するとともに、当該作成された撮影会データを前記撮影者端末に送信する第２の送信ステップと、
撮影会データを送信した前記撮影者端末から了解のデータを受信した場合に、当該撮影者端末から受信された撮影者データに基づいて前記撮影者ＤＢを更新するとともに、前記送信された撮影会データに基づいて前記撮影会ＤＢを更新する更新ステップと、
を実行させることを特徴とする。
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】